(57)【要約】【課題】  外部キャビネットの変形及びそれによる垂れ下がりを防止することができる壁掛け型電子レンジを提供する。【解決手段】  壁掛け型電子レンジの外観をなす外部キャビネットと、前記外部キャビネット内に前記外部キャビネットから所定間隔を置いて設けられる内部キャビネットとを含む。前記内部キャビネットには、前記内部キャビネットが前記外部キャビネットとともに前記設置部に吊設されるように、前記内部キャビネットから延出している固定部材と、前記固定部材を前記設置部に固定させる締結部とを含む。【選択図】  図２
2004219056.tif 000002
【特許請求の範囲】
【請求項１】
設置部に固設される壁掛け型電子レンジにおいて、
壁掛け型電子レンジの外観をなす外部キャビネットと、
前記外部キャビネット内に前記外部キャビネットから所定間隔を置いて設けられ、内部で飲食物を調理する調理室と電気部品を収容する電装室とが区画されている内部キャビネットと、
前記内部キャビネットが前記設置部に固設されるように、前記内部キャビネットから延出している固定部材と、
前記固定部材を前記設置部に固定させる締結部とを含んでなることを特徴とする壁掛け型電子レンジ。
【請求項２】
前記締結部は、ナットと、前記設置部、前記外部キャビネット及び前記固定部材を順次貫通して前記ナットと締結されるボルトを含むことを特徴とする請求項１に記載の壁掛け型電子レンジ。
【請求項３】
前記固定部材は、前記ナットが載せられるシート部と、前記ナットが前記シート部に挿入できるようにするとともに前記ナットが前記シート部から離脱することを防止する弾性フック部とを含むことを特徴とする請求項２に記載の壁掛け型電子レンジ。
【請求項４】
前記シート部は前記固定部材の下面から下方に延長されてから側方に折曲されて、断面略Ｌ字状を有し、その折曲部上にナットが載せられるようにし、前記弾性フック部は、前記ナットが前記シート部から離脱することを防止するため、前記シート部の開放側に位置することを特徴とする請求項３に記載の壁掛け型電子レンジ。
【請求項５】
前記ナットは、前記ボルトと締結されるとき、前記ナットが回転することを防止するため、その両側面が前記シート部と前記弾性フック部に接触されるように方形に形成されることを特徴とする請求項４に記載の壁掛け型電子レンジ。
【請求項６】
前記壁掛け型電子レンジは区画板をさらに含み、前記固定部材は、前記電装室を冷却するための流路を形成するため、前記電装室を形成する前記内部キャビネットの上側前部に取り付けられた前記区画板から延出していることを特徴とする請求項１に記載の壁掛け型電子レンジ。
【請求項７】
設置部に装着される壁掛け型電子レンジにおいて、
前記壁掛け型電子レンジの外観をなす外部キャビネットと、
前記外部キャビネット内に前記外部キャビネットから所定間隔を置いて設けられる内部キャビネットと、
前記外部キャビネットの変形を防止するため、前記内部及び外部キャビネットと前記設置部に取り付けられる固定部とを含んでなることを特徴とする壁掛け型電子レンジ。
【請求項８】
設置部に装着される壁掛け型電子レンジにおいて、
前記壁掛け型電子レンジの外観をなす外部キャビネットと、
前記外部キャビネット内に前記外部キャビネットから所定間隔を置いて設けられる内部キャビネットと、
前記外部キャビネットの変形を防止するため、前記内部キャビネットと前記設置部に直接取り付けられる固定部とを含んでなることを特徴とする壁掛け型電子レンジ。
【請求項９】
前記固定部材は、
前記内部キャビネットが前記設置部に固定されるように、前記内部キャビネットから延出している固定部材と、
前記固定部材を前記設置部に固定するための締結部とを含むことを特徴とする請求項８に記載の壁掛け型電子レンジ。
【請求項１０】
前記締結部は、ナットと、前記設置部、前記外部キャビネット及び前記固定部材を順次貫通して前記ナットと締結されるボルトを含むことを特徴とする請求項９に記載の壁掛け型電子レンジ。
【請求項１１】
前記固定部材は、前記ナットが載せられるシート部と、前記ナットを前記シート部に位置させるとともに前記ナットが前記シート部から離脱することを防止するフック部とを含むことを特徴とする請求項１０に記載の壁掛け型電子レンジ。
【請求項１２】
前記シート部は該シート部上に前記ナットが載せられるように前記固定部材の下面から延長され、前記フック部は、前記ナットが前記シート部上に載せられたとき、前記ナットに隣接して位置し、前記ナットが前記シート部上に載せられたとき前記ナットが回転することを防止するため、前記ナットが前記フック部と接触する少なくとも一つの平面を有することを特徴とする請求項１１に記載の壁掛け型電子レンジ。
【請求項１３】
前記ナットは、前記ボルトと締結されるとき、前記ナットが回転することを防止するため、両側面が前記シート部と前記フック部に接触する非円形に形成されることを特徴とする請求項１２に記載の壁掛け型電子レンジ。
【請求項１４】
前記固定部は区画板をさらに含み、前記固定部材は前記内部キャビネットの上側前部に取り付けられた前記区画板から延出していることを特徴とする請求項９に記載の壁掛け型電子レンジ。
【請求項１５】
前記固定部材は前記設置部に平行に側方に延出していることを特徴とする請求項９に記載の壁掛け型電子レンジ。
【請求項１６】
前記内部キャビネットは電装室を含み、前記固定部材は前記内部キャビネットを前記外部キャビネットとともに前記設置部に固定させ、前記外部キャビネット内に流入した空気を前記電装室に案内することを特徴とする請求項９に記載の壁掛け型電子レンジ。
【請求項１７】
前記シート部は断面Ｌ字形であることを特徴とする請求項１１に記載の壁掛け型電子レンジ。
【請求項１８】
前記シート部の中間部には、前記ボルトが前記シート部を通過するように、切取部が形成されることを特徴とする請求項１１に記載の壁掛け型電子レンジ。
【請求項１９】
前記固定部材は前記内部キャビネットと一体的に形成され、前記内部キャビネットから延出していることを特徴とする請求項９に記載の壁掛け型電子レンジ。
【請求項２０】
前記固定部材は前記内部キャビネットの上面から上方に延出していることを特徴とする請求項１９に記載の壁掛け型電子レンジ。
【請求項２１】
設置部に装着される壁掛け型電子レンジにおいて、
前記壁掛け型電子レンジの外観をなす外部キャビネットと、
前記外部キャビネット内に設けられる内部キャビネットと、
前記壁掛け型電子レンジの自重が前記内部キャビネット及び前記外部キャビネットに均等に分配されるように前記設置部と前記内部キャビネットとの間に取り付けられる固定部とを含んでなることを特徴とする壁掛け型電子レンジ。
【請求項２２】
設置部に装着される壁掛け型電子レンジにおいて、
前記壁掛け型電子レンジの外観をなす外部キャビネットと、
前記外部キャビネット内に前記外部キャビネットから間隔を置いて設けられる内部キャビネットと、
高周波を供給するための電気部品を含む電装室と、
前記内部キャビネットと前記外部キャビネットとの間に設けられ、前記電装室内の電気部品を冷却するための流路を形成する区画板と、
締結具と、
前記締結具により前記区画板に固定され前記区画板から延長され、前記設置部に取り付けられる固定部材とを含んでなることを特徴とする壁掛け型電子レンジ。
【請求項２３】
設置部に装着される壁掛け型電子レンジにおいて、
前記壁掛け型電子レンジの外観をなす外郭手段と、
内部で飲食物を調理するため、前記外郭手段内に前記外郭手段から所定間隔を置いて設けられる内郭手段と、
前記外郭手段の変形を防止するため、前記内郭手段及び前記設置部に直接取り付けられる固定手段とを含んでなることを特徴とする壁掛け型電子レンジ。
【発明の詳細な説明】
【技術分野】
【０００１】
本発明は壁掛け型電子レンジ係り、より詳しくは外部キャビネットの変形及びそれによる垂れ下がりを防止することができる壁掛け型電子レンジに関するものである。
【背景技術】
【０００２】
一般に、電子レンジは高周波を放射して水分子を振動させ、その摩擦熱により飲食物を調理する装置であって、特に厨房のガスオーブンレンジなどの調理装置の上側に固設され、汚染した空気を外部へ排出するフード機能も兼ねるようになっているものを壁掛け型電子レンジという。
【０００３】
従来の壁掛け型電子レンジは厨房空間のガスオーブンレンジ（図示せず）の上側に取り付けられるもので、通常の電子レンジが有する調理機能とともに、下部に配設されるガスオーブンレンジ側から発生する排気ガス、飲食物臭いなどを外部へ排出する機能を兼ねるようになっている。
【０００４】
かかる壁掛け型電子レンジは、外観をなす外部キャビネットと、該外部キャビネットとの間に空気が流動するダクトが形成されるように、外部キャビネットの内側に所定距離だけ離隔して取り付けられる内部キャビネットとを備えている。内部キャビネットの内側には、飲食物の調理がなされる調理室と各種の電気部品が設けられる電装室とが画成されている。
【０００５】
このような壁掛け型電子レンジは、外部キャビネットの上面をなす上板が、天井、食器棚などの如く、電子レンジの取り付けのための厨房空間の設置部の下面にボルト及びナットなどの締結手段で吊り下げるように取り付けられる。この際、ナットは別の部材からなるナットホルダにより上板の下面に保持された後、設置部と外部キャビネットを貫通するボルトに締結されることで、壁掛け型電子レンジが設置部に固定されるようにする。
【０００６】
ところが、かかる壁掛け型電子レンジの外部キャビネットは板状の部材からなっているため、長時間使用する場合、壁掛け型電子レンジの自重により、上面をなす上板が変形して垂れ下がるおそれがあるという問題点がある。
【０００７】
また、ナットを上板に固定するため、別のナットホルダが必要であるため、製造費が上昇するという問題点がある。
【発明の開示】
【発明が解決しようとする課題】
【０００８】
したがって、本発明はこのような問題点を解決するためのもので、本発明の目的は、外部キャビネットの変形及びそれによる垂れ下がりを防止することができる壁掛け型電子レンジを提供することにある。
【０００９】
本発明のほかの目的は部品数を減少させて製造原価を低めることができる壁掛け型電子レンジを提供することにある。
【課題を解決するための手段】
【００１０】
このような目的を達成するため、本発明は、設置部に固設される壁掛け型電子レンジにおいて、壁掛け型電子レンジの外観をなす外部キャビネットと、前記外部キャビネット内に前記外部キャビネットから所定間隔を置いて設けられ、内部で飲食物を調理する調理室と電気部品を収容する電装室とが区画されている内部キャビネットと、前記内部キャビネットが前記設置部に固設されるように、前記内部キャビネットから延出している固定部材と、前記固定部材を前記設置部に固定させる締結部とを含んでなる壁掛け型電子レンジを提供する。
【００１１】
前記締結部は、ナットと、前記設置部、前記外部キャビネット及び前記固定部材を順次貫通して前記ナットと締結されるボルトを含み得る。
【００１２】
前記固定部材は、前記ナットが載せられるシート部と、前記ナットが前記シート部に挿入できるようにするとともに前記ナットが前記シート部から離脱することを防止する弾性フック部とを含み得る。
【００１３】
前記シート部は前記固定部材の下面から下方に延長されてから側方に折曲されて、断面略Ｌ字状を有し得、その折曲部上にナットが載せられるようにし、前記弾性フック部は、前記ナットが前記シート部から離脱することを防止するため、前記シート部の開放側に位置し得る。
【００１４】
前記ナットは、前記ボルトと締結されるとき、前記ナットが回転することを防止するため、その両側面が前記シート部と前記弾性フック部に接触されるように方形に形成され得る。
【００１５】
前記壁掛け型電子レンジは区画板をさらに含み得、前記固定部材は、前記電装室を冷却するための流路を形成するため、前記電装室を形成する前記内部キャビネットの上側前部に取り付けられた前記区画板から延長され得る。
【発明の効果】
【００１６】
本発明による壁掛け型電子レンジは、固定部材により、外部キャビネットだけでなく内部キャビネットが厨房空間の設置部に吊設されるので、壁掛け型電子レンジの自重が外部キャビネットだけでなく内部キャビネットに分散して作用するので、外部キャビネットの変形が防止される効果がある。
【００１７】
また、本発明による壁掛け型電子レンジは別途の部材なしで冷却流路区画板から延長された固定部材によりナットを固定しているので、製造原価が低下する効果がある。
【発明を実施するための最良の形態】
【００１８】
以下、本発明の好ましい一実施例を図面に基づいて詳細に説明する。
本発明による壁掛け型電子レンジは、図１及び図２に示すように、厨房空間のガスオーブンレンジ（図示せず）の上側の天井、食器棚などに設けられた設置部Ｉの下面に取り付けられ、その上側には、ガスオーブンレンジの使用により発生する排気ガス及び飲食物臭いを外部へ排出するように案内する外部ダクトＤが天井又は食器棚を貫通している。
【００１９】
かかる壁掛け型電子レンジは、外観をなす外部キャビネット１０と、該外部キャビネット１０との間に空気が流動する内部ダクト３０が形成されるように、外部キャビネット１０の内側に外部キャビネット１０から所定距離だけ離隔して取り付けられる内部キャビネット２０とを備えている。
【００２０】
内部キャビネット２０には、飲食物の調理がなされる調理室２１と、各種の電気部品が設けられる電装室２２とが画成されている。調理室２１はドア２３により開閉可能に構成され、電装室２２の前面には、電子レンジの機能を制御するための制御盤２４がドア２３と並んで設けられる。
【００２１】
電装室２２の内部には、調理室２１の内部へ高周波を供給するためのマグネトロン２２ａと、該マグネトロン２２ａに高電圧を印加するための高圧トランス２２ｂなどの電気部品が設けられ、これらを冷却するための送風ファン２２ｃがさらに設けられる。
【００２２】
このような壁掛け型電子レンジの外部キャビネット１０の下面をなす下板の両側には、その下側に配置されたガスオーブンレンジから発生する排気ガス及び飲食物臭いを含有する汚染した室内空気が外部キャビネット１０内に流入されるように、吸気口１１が形成され、外部キャビネット１０の上面をなす上板には、吸気口１１を通して外部キャビネット１０の内部に流入した室内空気が排出されるように排気口１２が形成される。
【００２３】
外部キャビネット１０と内部キャビネット２０との間に形成された内部ダクト３０は内部キャビネット２０の下部から後部を経て上部に延出しているので、吸気口１１を通して流入した室内空気を排気口１２に案内する。前記外部キャビネット１０の上部後側には、回転力を発生するファンモータ１３と、該ファンモータ１３の両側に結合され、ファンモータ１３により回転して送風力を発生させる１対の排気ファン１４とが設けられている。
【００２４】
よって、ガスオーブンレンジから発生する汚染した室内空気はファンモータ１３及び排気ファン１４から発生する送風力により吸気口１１を介して外部キャビネット１０内に流入した後、内部ダクト３０及び排気口１２を介して外部ダクトＤに案内され、この外部ダクトＤを介して室外に排出される。
【００２５】
このような壁掛け型電子レンジは、厨房空間の天井、食器棚の下面など、壁掛け型電子レンジの取り付けのために設けられた設置部Ｉに吊設するため、図３に示すように、内部キャビネット２０には、その上面から一体的に延出しかつ設置部Ｉと平行に形成された固定部材４０が設けられ、該固定部材４０を設置部Ｉに固定させる締結部５０が設けられる。
【００２６】
固定部材４０は、外部キャビネット１０とともに内部キャビネット２０を、天井又は食器棚の下面に設けられた設置部Ｉに固定するためのものである。本実施例において、固定部材４０は、電装室２２の上側に設けられ、外部キャビネット１０の内部に吸入された空気を電装室２２に案内する冷却流路区画板２５の上端から延出している。
【００２７】
一方、締結部５０は、設置部Ｉ、外部キャビネット１０及び固定部材４０を順次貫通するボルト５１と、固定部材４０の下部に設けられ、ボルト５１と締結されることで、固定部材４０及び外部キャビネット１０を設置部Ｉに固定させるナット５２とからなる。この際、ボルト５１が貫通するように、外部キャビネット１０には第１通孔１５が設けられ、固定部材４０には第２通孔４３が設けられる。
【００２８】
固定部４０には、ナット５１を保持するため、固定部材４０から一体的に延長されたシート部４１と、ナット５１がシート部４１に挿入できるようにしながらシート部４１から離脱することを防止するため、弾性変形可能な材質からなる弾性フック部４２とが設けられる。
【００２９】
シート部４１は弾性フック部４２の下面から一側が開放され、断面略Ｌ字状に延長され、その中間には、ボルト５１が貫通するように、凹んでいる貫通部４１ａが形成され、弾性フック部４２はシート部４１の開放部側に配置され、シート部４１との間にナット５２が収容されるようにするものである。
【００３０】
ナット５２は、ボルト５１と締結されるとき、シート部４１に支持されて、シート部４１内で回転することを防止するため、方形に形成される。
【００３１】
したがって、図４に示すように、弾性フック部４２を変形させながらナット５２をシート部４１に挿入すると、弾性フック部４２が復元し、ナット５２がシート部４１から離脱することを弾性フック部４２により防止する。この状態で、ボルト５１が設置部Ｉ、外部キャビネット１０及び固定部材４０を貫通して締結されることにより、外部キャビネット１０及び内部キャビネット２０が設置部Ｉに固定される。
【００３２】
本実施例において、固定部材４０は内部キャビネット２０から一体的に延長されているが、これに限られることなく、内部キャビネット２０の上面に設けられた多様な部材から延出させることもできる。
【００３３】
つぎに、このように構成された本発明による壁掛け型電子レンジの設置及び作用効果を図面に基づいて詳細に説明する。
【００３４】
まず、ナット５２を固定部材４０のシート部４１に押し込むと、弾性フック部４２が弾性変形しながらナット５２がシート部４１に挿入され、ナット５２がシート部４１に挿入された後には、弾性フック部４２が復元して、ナット５２がシート部４１から離脱することを防止する。
【００３５】
この状態で、壁掛け型電子レンジを設置部Ｉの下側に位置させた後、ボルト５１を設置部Ｉ及び外部キャビネット１０の第１通孔１５と固定部材４０の第２通孔４３に貫通させてから回転させることで、シート部４１に支持されているナット５２に締結する。この際、ナット５２は方形に形成され、その側面がシート部４１及び弾性フック部４２に面接触するので、シート部４１内で回動することが防止され、よってボルト５１の回転により締結がなされる。
【図面の簡単な説明】
【００３６】
【図１】本発明による壁掛け型電子レンジの構造を示す斜視図である。
【図２】本発明による壁掛け型電子レンジの設置構造を示す断面図である。
【図３】図２のIII部の分解斜視図である。
【図４】本発明による壁掛け型電子レンジのシート部及びナットの平断面図である。
【符号の説明】
【００３７】
１０  外部キャビネット
１１  吸気口
１２  排気口
１３  ファンモータ
１４  排気ファン
１５  第１通孔
２０  内部キャビネット
２１  調理室
２２  電装室
２３  ドア
２４  操作盤
２５  区画板
３０  内部ダクト
４０  固定部材
４１  シート部
４１ａ  貫通部
４２  弾性フック部
４３  第２通孔
５０  締結部
５１  ボルト
５２  ナット
Ｄ  外部ダクト
Ｉ  設置部
【図１】
2004219056.tif 000003
【図２】
2004219056.tif 000004
【図３】
2004219056.tif 000005
【図４】
2004219056.tif 000006